(57)【要約】【課題】平板状のアンテナ部と、アンテナ部を揺動可能に軸支する本体ケースとを備えた室内アンテナにおいて、本体ケースに対するアンテナ部の取り付け角度を簡単に調整でき、しかも、調整後は特別な操作を行うことなくアンテナ部を固定できるようにする。【解決手段】基板にアンテナ線２０を埋設することにより構成された板状のループアンテナ２に一対の円筒状突起１８を設け、これを、本体ケース１０に突設された第１軸受部３２と、軸受カバー６に一体形成された第２軸受部４２との間に挟むことで、ループアンテナ２を、本体ケース１０に対して回動可能に固定する。また、ループアンテナ２を固定する際、各円筒状突起１８には、弾性材からなるリング状の回転抑止部材２２を嵌めておく。この結果、回転抑止部材２２が弾性変形して、円筒状突起１８の回転（換言すればループアンテナ２の揺動）を抑制し、角度調整及び固定を簡単に行うことができるようになる。【選択図】図４
2009246785.tif 000002
【特許請求の範囲】
【請求項１】
アンテナ素子が設けられた平板状のアンテナ部と、該アンテナ部を揺動可能に軸支する本体ケースとを備えた室内アンテナにおいて、
前記アンテナ部において、外周縁には凹部が形成され、該凹部の開口端両側には、同軸上で互いに対向する円筒状突起が設けられ、
前記本体ケースには、断面円弧状の窪みを備え、該窪みで前記２つの円筒状突起の側面を回動可能に支持する２つの第１軸受部が突設され、  、
更に、前記アンテナ部及び本体ケースとは別体で構成され、前記各第１軸受部との間で前記各円筒状突起を挟み、前記各円弧状突起を回動可能に支持する２つの第２軸受部が一体形成された軸受カバー、を備え、
前記アンテナ部は、
前記２つの円筒状突起の側壁に前記軸受カバーの２つの第２軸受部を当接させた状態で、前記軸受カバーを当該アンテナ部の凹部内に配置し、しかも、前記各円筒状突起を挟んで前記各第２軸受部とは反対側には前記２つの第１軸受部が配置されるように、当該アンテナ部を前記本体ケースに配置し、前記軸受カバーを本体ケースに固定することで、前記本体ケースに軸支されており、
しかも、前記アンテナ部の２つの円筒状突起には、それぞれ、弾性を有するリング状の回転抑止部材が外嵌されていることを特徴とする室内アンテナ。
【請求項２】
前記アンテナ部には、ループアンテナを構成するアンテナ線が埋設されており、
前記各円筒状突起には、それぞれ、前記アンテナ部に埋設されたアンテナ線を引き出すための溝部が形成されており、
前記本体ケースの２つの第１軸受部の間には、前記各円筒状突起の溝部から引き出されたアンテナ線を本体ケース内に導くための挿入孔が穿設されていることを特徴とする請求項１に記載の室内アンテナ。
【請求項３】
前記本体ケースの２つの第１軸受部の中間位置には、前記軸受カバーを固定するためのねじを挿通するねじ孔が穿設されており、
前記軸受カバーは、該ねじ孔に挿通されたねじを介して前記本体ケースに固定されることを特徴とする請求項１又は請求項２に記載の室内アンテナ。
【発明の詳細な説明】
【技術分野】
【０００１】
本発明は、平板状のアンテナ部と、該アンテナ部を揺動可能に軸支する本体ケースとを備えた室内アンテナに関する。
【背景技術】
【０００２】
従来、室内アンテナには、平板状のアンテナ部を、蝶番状に形成された軸支部を介して、本体ケースに揺動自在に固定したものが知られている（例えば、特許文献１等、参照）。
【０００３】
そして、この室内アンテナでは、本体ケースに対するアンテナ部の取り付け角度を調整して、アンテナ部を任意の位置（仰角）で固定できるようにするために、上記軸支部を下記のように構成している。
【０００４】
即ち、蝶番状の軸支部には、アンテナ部と本体ケースとを連結してアンテナ部を軸支するための棒状部材が設けられるが、棒状部材のアンテナ部側先端にはねじ山が形成され、他端は、アンテナ部を支持する本体ケースから外部に突出され、その先端には、棒状部材を手動で軸周りに回転操作するための摘み部が設けられている。
【０００５】
そして、この摘み部を回転操作して、棒状部材の先端をアンテナ部に螺合することで、アンテナ部を棒状部材の中心軸に沿って軸方向に移動できるように、棒状部材は本体ケースに挿通され、その移動によってアンテナ部が当接されるケース本体側には、滑り止めとなる弾性体が設けられている。
【０００６】
つまり、従来では、アンテナ部の軸支部をこのように構成することで、アンテナ部の取り付け角度を調整した後、摘み部を回転操作して、アンテナ部を、弾性体を挟んで本体ケースにしっかりと当接させることで、アンテナ部を所望の位置で固定できるようにしている。
【特許文献１】特開平１０−１３１３３号公報
【発明の開示】
【発明が解決しようとする課題】
【０００７】
しかし、上記のような構成では、アンテナ部の角度調整時には、摘み部を弾性体の締付方向とは反対方向に回転させて、アンテナ部を角度調整できるようにし、角度調整後は、摘み部を弾性体の締付方向に回転させて、アンテナ部を固定する必要があり、その調整作業が面倒になるという問題があった。
【０００８】
本発明は、こうした問題に鑑みなされたものであり、平板状のアンテナ部と、該アンテナ部を揺動可能に軸支する本体ケースとを備えた室内アンテナにおいて、本体ケースに対するアンテナ部の取り付け角度を簡単に調整でき、しかも、調整後は特別な操作を行うことなくアンテナ部を調整後の位置に固定できるようにすることを目的とする。
【課題を解決するための手段】
【０００９】
かかる目的を達成するためになされた請求項１に記載の発明は、
アンテナ素子が設けられた平板状のアンテナ部と、該アンテナ部を揺動可能に軸支する本体ケースとを備えた室内アンテナにおいて、
前記アンテナ部において、外周縁には凹部が形成され、該凹部の開口端両側には、同軸上で互いに対向する円筒状突起が設けられ、
前記本体ケースには、断面円弧状の窪みを備え、該窪みで前記２つの円筒状突起の側面を回動可能に支持する２つの第１軸受部が突設され、  、
更に、前記アンテナ部及び本体ケースとは別体で構成され、前記各第１軸受部との間で前記各円筒状突起を挟み、前記各円弧状突起を回動可能に支持する２つの第２軸受部が一体形成された軸受カバー、を備え、
前記アンテナ部は、
前記２つの円筒状突起の側壁に前記軸受カバーの２つの第２軸受部を当接させた状態で、前記軸受カバーを当該アンテナ部の凹部内に配置し、しかも、前記各円筒状突起を挟んで前記各第２軸受部とは反対側には前記２つの第１軸受部が配置されるように、当該アンテナ部を前記本体ケースに配置し、前記軸受カバーを本体ケースに固定することで、前記本体ケースに軸支されており、
しかも、前記アンテナ部の２つの円筒状突起には、それぞれ、弾性を有するリング状の回転抑止部材が外嵌されていることを特徴とする。
【００１０】
次に、請求項２に記載の発明は、請求項１に記載の室内アンテナにおいて、
前記アンテナ部には、ループアンテナを構成するアンテナ線が埋設されており、
前記各円筒状突起には、それぞれ、前記アンテナ部に埋設されたアンテナ線を引き出すための溝部が形成されており、
前記本体ケースの２つの第１軸受部の間には、前記各円筒状突起の溝部から引き出されたアンテナ線を本体ケース内に導くための挿入孔が穿設されていることを特徴とする。
【００１１】
また、請求項３に記載の発明は、請求項１又は請求項２に記載の室内アンテナにおいて、
前記本体ケースの２つの第１軸受部の中間位置には、前記軸受カバーを固定するためのねじを挿通するねじ孔が穿設されており、
前記軸受カバーは、該ねじ孔に挿通されたねじを介して前記本体ケースに固定されることを特徴とする。
【発明の効果】
【００１２】
請求項１に記載の室内アンテナにおいては、アンテナ部の外周縁に凹部が形成されており、その凹部の開口端両側に、同軸上で互いに対向する２つの円筒状突起が設けられている。
【００１３】
そして、アンテナ部は、この２つの円筒状突起が、本体ケースに突設された２つの第１軸受部と、本体ケースに固定された軸受カバーに一体形成された２つの第２軸受部との間に、回動可能に軸支されることにより、本体ケースに揺動可能に固定される。
【００１４】
また、アンテナ部の２つの円筒状突起には、それぞれ、弾性を有するリング状の回転抑止部材が外嵌されていることから、この回転抑止部材は、円筒状突起と、第１軸受部と第２軸受部とで構成される軸受との間に挟まれ、円筒状突起の回転（換言すればアンテナ部の揺動）を抑制する。
【００１５】
従って、請求項１に記載の室内アンテナによれば、回転抑止部材により発生する制動力よりも強い力でアンテナ部を押せば、アンテナ部は、円筒状突起の中心軸周りに回動し、アンテナ部を押すのを止めれば、アンテナ部は、そのときの位置に固定されることになる。
【００１６】
よって、請求項１に記載の室内アンテナによれば、本体ケースに対するアンテナ部の取り付け角度を簡単に調整でき、しかも、調整後は特別な操作を行うことなくアンテナ部を調整後の位置に固定できるようになり、本体ケースに対するアンテナ部の取付角度を変化
させてアンテナ部の向き（指向特性）を調整する際の調整作業を極めて簡単に行うことが可能となる。
【００１７】
ここで、アンテナ部は、平板状のアンテナであればよく、例えば、基板に複数のアンテナ素子を配置した平面アンテナであってもよいが、請求項２に記載のように、アンテナ部を、基板にアンテナ線を埋設したループアンテナにて構成する場合には、各円筒状突起に、それぞれ、アンテナ部に埋設されたアンテナ線を引き出すための溝部を形成し、本体ケースの２つの第１軸受部の間には、各円筒状突起の溝部から引き出されたアンテナ線を本体ケース内に導くための挿入孔を穿設するとよい。
【００１８】
つまり、このようにすれば、ループアンテナへの給電を本体ケースに設けたアンテナ端子等を介して行うことができ、しかも、アンテナ線がアンテナ部から外に出ることがないので、室内アンテナの外観をよくすることができる。
【００１９】
また、軸受カバーを本体ケースに固定するためには、例えば、軸受カバーに、先端に係合用の爪部を設けた係合突起を突設し、この係合突起を本体ケースに穿設した係合用の孔に挿入することで、係合突起先端の爪部を本体ケースに引っ掛け、軸受カバーを本体ケースに固定するようにしてもよいが、本発明では、軸受カバーに一体形成された第２軸受部と本体ケースに突設された第１軸受部との間に、リング状の回転抑止部材が外嵌された円筒状突起を挟むことで、アンテナ部を固定させることから、本体ケースに対し、軸受カバーをしっかりと固定する必要がある。
【００２０】
このため、本発明の室内アンテナにおいては、請求項３に記載のように、本体ケースの２つの第１軸支部の中間位置に、軸受カバーを固定するためのねじを挿通するねじ孔を穿設しておき、軸受カバーは、このねじ孔に挿通されたねじを介して本体ケースに固定するようにするとよい。
【発明を実施するための最良の形態】
【００２１】
以下に本発明の実施形態を図面と共に説明する。
図１は、実施形態の室内アンテナ全体の構成を表す斜視図である。
図１に示すように、本実施形態の室内アンテナは、テレビ放送やＦＭ放送の放送電波を受信するためのものであり、ＵＨＦ帯のテレビ放送電波を受信するループアンテナ２と、ＶＨＦ帯のテレビ放送電波やＦＭ放送電波を受信する２つのロッドアンテナ４と、これら各アンテナ２、４をアンテナの向きを調整可能に支持する本体ケース１０とを備える。
【００２２】
本体ケース１０は、合成樹脂製であり、テレビ受像機やキャビネット等、所望の場所に設置できるように、６角形の箱状に形成されている。
そして、ロッドアンテナ４は、本体ケース１０の６つの角部のうち、互いに対向する一対の角部の側壁から突出された支軸８の先端に揺動自在に固定され、ループアンテナ２は、合成樹脂製の軸受カバー６を介して、本体ケース１０の上面に揺動自在に固定されている。
【００２３】
また、ロッドアンテナ４は、径の異なる複数の金属パイプを同軸上に配置することで、伸縮自在に構成された周知のものであり、支軸８は、本体ケース１０内にて軸周りに回動自在に固定されている。
【００２４】
次に、ループアンテナ２は、図２に示すように、透明若しくは半透明の合成樹脂にて角
部のない四角形に形成され、外周端縁にアンテナ線２０を埋設するための溝部１４が連続的に形成された基板１２と、その基板１２の溝部１４に埋設されたアンテナ線２０とから構成されている。
【００２５】
そして、基板１２の一辺中央（図に示す下方の辺の中央）には、軸受カバー６を収納可能な凹部１６が形成されており、この凹部１６の開口端両側には、同軸上で互いに対向する一対の円筒状突起１８が設けられている。
【００２６】
また、これら各円筒状突起１８の側壁には、弾性材からなるリング状の回転抑止部材（所謂、Ｏリング）２２を外嵌するための溝１９が形成されている。
なお、円筒状突起１８は、凹部１６において基板１２の外周端縁を延出させたものであるため、円筒状突起１８には、アンテナ線２０を埋設するための溝部１４も連続的に形成されている。
【００２７】
また、基板１２の溝部１４において、基板１２の角部両側及び凹部１６が形成された辺を除く３辺の略中央に位置する各々の箇所には、溝部１４の開口幅を狭くしてアンテナ線２０を溝部１４内に保持するための突起１４ａが形成されている。
【００２８】
なお、図２において、（ａ）はループアンテナ２の一部破断正面図、（ｂ）はループアンテナ２の側面図、（ｃ）は、（ｂ）に一点鎖線で囲んだアンテナ角部の部分拡大図である。
【００２９】
次に、図３は、本体ケース１０を上方からみた平面図であり、図４は、本体ケース１０へのループアンテナ２の取付部分を表す一部破断正面図であり、図５は、その取付部分の側面図である。
【００３０】
これら各図から明らかなように、基板１２に設けられた一対の円筒状突起１８は、ループアンテナ２を本体ケース１０に固定した際に、ループアンテナ２を揺動可能に支持する支軸となるものであり、本体ケース１０の上面中央には、上端面に断面円弧状の窪みが形成され、この窪みで上記一対の円筒状突起１８の側面を回動可能に支持する２つの第１軸受部３２が突設されている。
【００３１】
また、本体ケース１０の上面において、上記一対の第１軸受部３２の間には、ループアンテナ２の各円筒状突起１８の先端部分から引き出されたアンテナ線２０を本体ケース１０内に導くための一対の挿入孔３４が穿設されており、更に上記一対の第１軸受部３２の中間点には、軸受カバー６を本体ケース１０の内側からねじで固定するためのねじ孔３６が穿設されている。
【００３２】
一方、軸受カバー６には、本体ケース１０に突設された２つの第１軸受部３２との間で、ループアンテナ２の２つの円筒状突起１８を各々挟み、各円筒状突起１８を回動可能に支持する第２軸受部４２が一体形成されている。
【００３３】
そして、ループアンテナ２は、まず、軸受カバー６の２つの第２軸受部４２を、それぞれ、一対の円筒状突起１８の側壁に当接させることで、軸受カバー６をループアンテナ２の凹部１６内に配置し、次に、一対の円筒状突起１８を挟んで各第２軸受部４２とは反対側に本体ケース１０の第１軸受部３２が配置されるように、ループアンテナ２を本体ケース１０の上面に載置し、最後に、軸受カバー６を本体ケース１０に固定する、といった手順で、本体ケース１０に固定されている。
【００３４】
なお、軸受カバー６を本体ケース１０に固定する際には、本体ケース１０のねじ孔３６に挿通したねじ３８を使って、本体ケース１０の内側から軸受カバー６をしっかりと固定できるようにするために、軸受カバー６において、２つの第２軸受部４２の中間位置には、本体ケース１０のねじ孔３６に挿通したねじ３８を螺入するための固定部４６が形成されている（図４参照）。
【００３５】
また、軸受カバー６には、ループアンテナ２の板面が本体ケース１０の上面に対して略直交する位置にあるとき、ループアンテナ２の板面に当接して、ループアンテナ２の揺動を規制する突条４４が形成されており、ループアンテナ２は、板面がこの突条４４に当接する位置から、板面が本体ケース１０の上面に当接する位置までの略９０度の範囲内で揺動可能となっている（図５参照）。
【００３６】
以上説明したように、本実施形態の室内アンテナにおいては、ループアンテナ２に設けられた一対の円筒状突起１８を、本体ケース１０に突設された第１軸受部３２と、軸受カバー６に一体形成された第２軸受部４２との間に挟むことで、ループアンテナ２を、本体ケース１０に対して回動可能に固定するようにされている。
【００３７】
そして、各円筒状突起１８には、弾性材からなるリング状の回転抑止部材２２が外嵌されており、各円筒状突起１８を第１軸受部３２と第２軸受部４２とで回転自在に支持した状態では、回転抑止部材２２がこれら各軸受部３２、４２と円筒状突起１８との間で弾性変形して、円筒状突起１８の回転（換言すればループアンテナ２の揺動）を抑制することになる。
【００３８】
従って、本実施形態の室内アンテナによれば、回転抑止部材２２により発生する制動力よりも強い力でループアンテナ２を押せば、ループアンテナ２は、円筒状突起１８の中心軸周りに回動し、ループアンテナ２を押すのを止めれば、ループアンテナ２は、そのときの位置に固定される。
【００３９】
よって、本実施形態の室内アンテナによれば、本体ケース１０に対するループアンテナ２の取り付け角度を簡単に調整でき、しかも、調整後は特別な操作を行うことなくループアンテナ２を調整後の位置に固定できるようになり、本体ケース１０に対するループアンテナ２の取付角度を変化させてループアンテナ２の向き（指向特性）を調整する際の調整作業を極めて簡単に行うことが可能となる。
【００４０】
また、本実施形態の室内アンテナにおいては、基板１２の溝部１４を各円筒状突起１８まで延設することで、アンテナ線２０を各円筒状突起１８の先端から引き出し、本体ケース１０に穿設された挿入孔３４から本体ケース１０内に引き込むことで、ループアンテナへ２の給電を本体ケース１０に設けたアンテナ端子（図示せず）を介して行うようにされている。このため、基板１２の溝部１４に埋設したアンテナ線２０が外に出ることがなく、室内アンテナの外観をよくすることができる。
【００４１】
また、軸受カバー６は、本体ケース１０のねじ孔３６に挿通されたねじ３８を使って、本体ケース１０にしっかりと固定されることから、第１軸受部３２と第２軸受部４２とによる円筒状突起１８の把持力が緩み、ループアンテナ２を固定できなくなるのを防止できると共に、万一、その把持力が緩んだとしても、ねじ３８を締め付けることで元の状態に戻すことができるので、室内アンテナの使い勝手を向上できる。
【００４２】
以上、本発明の一実施形態を説明したが、本発明は、上記実施形態に限定されるものではなく、本発明の要旨を逸脱しない範囲内にて、種々の態様をとることができる。
例えば、上記実施形態では、板状のアンテナ部として、基板１２にアンテナ線２０を埋設することにより構成されたループアンテナ２を備えた室内アンテナについて説明したが、板状のアンテナ部として、複数のアンテナ素子からなる平面アンテナを備えた室内アンテナであっても、本発明を適用して、上記実施形態と同様の効果を得ることができる。
【００４３】
また、上記実施形態では、軸受カバー６は、ねじ３８を使って本体ケース１０に固定するものとして説明したが、軸受カバー６の本体ケース１０への固定は、必ずしもねじを用いる必要はなく、軸受カバー６や本体ケース１０に形成した係止機構によって軸受カバー６を本体ケース１０に固定するようにしてもよい。
【図面の簡単な説明】
【００４４】
【図１】実施形態の室内アンテナ全体の構成を表す斜視図である。
【図２】ループアンテナの構成を表す説明図である。
【図３】本体ケースの上面の構成を表す平面図である。
【図４】本体ケースへのループアンテナの取付部分の構成を表す一部破断正面図である。
【図５】図５に示した取付部分を横方向から見た状態を表す側面図である。
【符号の説明】
【００４５】
２…ループアンテナ、４…ロッドアンテナ、６…軸受カバー、８…支軸、１０…本体ケース、１２…基板、１４…溝部、１４ａ…突起、１６…凹部、１８…円筒状突起、１９…溝、２０…アンテナ線、２２…回転抑止部材、３２…第１軸受部、３４…挿入孔、３６…ねじ孔、４２…第２軸受部、４４…突条、４６…固定部。
【図１】
2009246785.tif 000003
【図２】
2009246785.tif 000004
【図３】
2009246785.tif 000005
【図４】
2009246785.tif 000006
【図５】
2009246785.tif 000007